(57)【要約】【課題】簡易な構造で鉄筋ユニットの全重量を分散させ、揚重作業の安定化を図り得る鉄筋ユニットの揚重装置を提供する。【解決手段】鉄筋ユニット１００の縦筋１０１ａと平行に延び且つ横筋１０１ｂを挟持するよう配設される形鋼２００と、形鋼２００を連結する締結部材３００と、形鋼２００に取り付けられた吊具４００とを備える。【選択図】図１
2020076212.tif 000002
【特許請求の範囲】
【請求項１】
縦筋と横筋とが格子状に組まれた鉄筋ユニットを吊り上げる際に使用される鉄筋ユニットの揚重装置であって、
前記縦筋と平行に延び且つ前記横筋を挟持するよう配設される形鋼と、
該形鋼を連結する締結部材と、
前記形鋼に取り付けられた吊具と
を備えた鉄筋ユニットの揚重装置。
【請求項２】
前記形鋼は、溝形鋼であって、該溝形鋼のウエブ背面で横筋が挟持される請求項１記載の鉄筋ユニットの揚重装置。
【請求項３】
前記締結部材は、形鋼に穿設された孔に挿通されるボルトと、該ボルトに締め付けられるナットとを備え、
前記ボルトは、前記鉄筋ユニットを吊り上げる際に横筋に接触して荷重を支持する請求項１又は２記載の鉄筋ユニットの揚重装置。
【請求項４】
前記締結部材は、形鋼に穿設された孔に挿通され且つ先端部に軸線と交差する方向にロック孔が穿設されたボルトと、該ボルトのロック孔に嵌入されるロックピンとを備え、
前記ボルトは、前記鉄筋ユニットを吊り上げる際に横筋に接触して荷重を支持する請求項１又は２記載の鉄筋ユニットの揚重装置。
【請求項５】
前記締結部材は、形鋼に穿設された孔に挿通されるタイロッドと、該タイロッドに締め付けられるナットとを備え、
前記タイロッドは、前記鉄筋ユニットを吊り上げる際に横筋に接触して荷重を支持する請求項１又は２記載の鉄筋ユニットの揚重装置。
【発明の詳細な説明】
【技術分野】
【０００１】
本開示は、鉄筋ユニットの揚重装置に関するものである。
【背景技術】
【０００２】
一般に、タンクやサイロ等の円柱型或いはそれ以外のさまざまなコンクリート構造物を建設する場合、鉄筋を格子状に組み、その縦筋と横筋の交差部を番線で固縛して鉄筋ユニットが形成される。
【０００３】
前記鉄筋ユニットは、地上で組み立てられて設置場所までクレーンで揚重されるが、その際、クレーンからスプレッダを吊り下げ、該スプレッダの長手方向における複数箇所（三箇所〜四箇所）から垂下されるワイヤやチェーン等の吊下部材を、鉄筋ユニットの一番上の横筋に掛けるようになっている。
【０００４】
尚、鉄筋ユニットの揚重に関連する一般的技術水準を示すものとしては、例えば、特許文献１がある。
【先行技術文献】
【特許文献】
【０００５】
【特許文献１】特許第５２６８４７０号公報
【発明の概要】
【発明が解決しようとする課題】
【０００６】
しかしながら、前述のように、鉄筋ユニットをクレーンで揚重する際に、スプレッダの長手方向における複数箇所（三箇所〜四箇所）から垂下されるワイヤやチェーン等の吊下部材を鉄筋ユニットの一番上の横筋に掛けるのでは、該横筋に前記鉄筋ユニットの全重量が掛かり、各部に作用する重量が鉄筋の番線強度又は固縛強度を超えると、番線が切断されたり、固縛が解放されたりする虞があった。
【０００７】
尚、特許文献１に開示されているものでは、特殊な形状の結束治具が必要となり、実際の建設現場での適用は困難となる可能性が高かった。
【０００８】
そこで、本開示においては、上記従来の問題点に鑑み、簡易な構造で鉄筋ユニットの全重量を分散させ、揚重作業の安定化を図り得る鉄筋ユニットの揚重装置を説明する。
【課題を解決するための手段】
【０００９】
本開示は、縦筋と横筋とが格子状に組まれた鉄筋ユニットを吊り上げる際に使用される鉄筋ユニットの揚重装置であって、
前記縦筋と平行に延び且つ前記横筋を挟持するよう配設される形鋼と、
該形鋼を連結する締結部材と、
前記形鋼に取り付けられた吊具と
を備えた鉄筋ユニットの揚重装置に係るものである。
【００１０】
前記鉄筋ユニットの揚重装置において、前記形鋼は、溝形鋼であって、該溝形鋼のウエブ背面で横筋が挟持されることが好ましい。
【００１１】
前記鉄筋ユニットの揚重装置において、前記締結部材は、形鋼に穿設された孔に挿通されるボルトと、該ボルトに締め付けられるナットとを備え、
前記ボルトは、前記鉄筋ユニットを吊り上げる際に横筋に接触して荷重を支持することができる。
【００１２】
又、前記鉄筋ユニットの揚重装置において、前記締結部材は、形鋼に穿設された孔に挿通され且つ先端部に軸線と交差する方向にロック孔が穿設されたボルトと、該ボルトのロック孔に嵌入されるロックピンとを備え、
前記ボルトは、前記鉄筋ユニットを吊り上げる際に横筋に接触して荷重を支持することもできる。
【００１３】
更に又、前記鉄筋ユニットの揚重装置において、前記締結部材は、形鋼に穿設された孔に挿通されるタイロッドと、該タイロッドに締め付けられるナットとを備え、
前記タイロッドは、前記鉄筋ユニットを吊り上げる際に横筋に接触して荷重を支持することもできる。
【発明の効果】
【００１４】
本発明の鉄筋ユニットの揚重装置によれば、簡易な構造で鉄筋ユニットの全重量を分散させ、揚重作業の安定化を図り得るという優れた効果を奏し得る。
【図面の簡単な説明】
【００１５】
【図１】本開示の実施例による鉄筋ユニットの揚重装置の形態を説明する全体概要正面図である。
【図２】本開示の実施例による鉄筋ユニットの揚重装置の形態を説明する斜視図である。
【図３】本開示の実施例による鉄筋ユニットの揚重装置の形態を説明する底面図である。
【図４】本開示の実施例による鉄筋ユニットの揚重装置の形態における締結部材の変形例を説明する底面図である。
【図５】本開示の実施例による鉄筋ユニットの揚重装置の形態における締結部材の他の変形例を説明する底面図である。
【発明を実施するための形態】
【００１６】
以下、本開示における本発明の実施例の形態を添付図面を参照して説明する。
【００１７】
図１〜図３は本開示の実施例による鉄筋ユニットの揚重装置の形態を示している。
【００１８】
図１及び図２に示す如く、鉄筋ユニット１００は、鉄筋１０１を格子状に組み、その縦筋１０１ａと横筋１０１ｂの交差部を番線１０２（図３参照）で固縛して形成されている。
【００１９】
本実施例の揚重装置は、形鋼２００と、締結部材３００と、吊具４００とを備えている。
【００２０】
前記形鋼２００は、前記縦筋１０１ａと平行に延び且つ前記横筋１０１ｂを両面から挟持するよう配設される。前記形鋼２００は、例えば、図３に示す如く、溝形鋼であって、該溝形鋼のウエブ２０１の背面で横筋１０１ｂが挟持されるようになっている。尚、前記形鋼２００は、溝形鋼の代わりに山形鋼を用いることもできる。
【００２１】
前記締結部材３００は、前記横筋１０１ｂを両面から挟持するよう配設される二個の形鋼２００を連結する部材である。前記締結部材３００は、前記形鋼２００に穿設された孔２０２に挿通されるボルト３０１と、該ボルト３０１に締め付けられるナット３０２とを備え、前記ボルト３０１は、前記鉄筋ユニット１００を吊り上げる際に横筋１０１ｂに接触して荷重を支持するようになっている。
【００２２】
前記吊具４００は、前記形鋼２００に取り付けられる部材である。図２に示す例では、前記吊具４００としてシャックルを使用し、該シャックルを前記形鋼２００の上端部に設けられた締結部材３１０に引っ掛けるようにしてある。尚、前記吊具４００は、前記締結部材３１０に引っ掛ける代わりに、前記形鋼２００の上端部に穿設された孔（図示せず）に直接通すようにしても良い。
【００２３】
因みに、図示していないクレーンからワイヤやチェーン等の吊下部材５００によって吊り下げられるスプレッダ６００は、図１に示す如く、その長手方向における複数箇所（図１の例では四箇所）に吊下ブラケット６１０が取り付けられている。該吊下ブラケット６１０には、複数の吊下孔６１１が穿設され、該吊下孔６１１にシャックル等の吊具４１０が取り付けられるようになっている。前記吊具４１０と吊具４００との間には、ワイヤやチェーン等の吊下部材５１０が介装されるようになっている。
【００２４】
次に、上記実施例の作用を説明する。
【００２５】
各種のコンクリート構造物の建設現場において、地上で鉄筋１０１が格子状に組まれ、その縦筋１０１ａと横筋１０１ｂの交差部が番線１０２で固縛されて鉄筋ユニット１００が形成される。
【００２６】
前記鉄筋ユニット１００が形成されると、該鉄筋ユニット１００に対し、先ず、形鋼２００が、前記鉄筋ユニット１００の縦筋１０１ａと平行に延び且つ前記横筋１０１ｂを挟持するよう配設される。前記形鋼２００として、例えば、溝形鋼を用いた場合、図３に示す如く、該溝形鋼のウエブ２０１の背面で横筋１０１ｂが挟持される形となる。
【００２７】
続いて、締結部材３００としてのボルト３０１が、図３に示す如く、前記形鋼２００に穿設された孔２０２に挿通され、該ボルト３０１にナット３０２が締め付けられる。前記締結部材３００は、一組の形鋼２００について複数箇所（図１の例では六箇所）に設けられているが、その数は、鉄筋ユニット１００の大きさと重量に応じて増減する形で選定できることは言うまでもない。又、前記形鋼２００は、鉄筋ユニット１００に対し複数組（図１の例では四組）配設されているが、その数は、前記締結部材３００と同様、鉄筋ユニット１００の大きさと重量に応じて増減する形で選定できることは勿論である。
【００２８】
前記形鋼２００が鉄筋ユニット１００に対し締結部材３００で取り付けられると、吊具４００が前記形鋼２００の上端部に設けられた締結部材３１０に引っ掛けられる。
【００２９】
前記吊具４００は、吊下部材５１０を介して吊具４１０につながれ、該吊具４１０は、スプレッダ６００の吊下ブラケット６１０の吊下孔６１１に連結される。
【００３０】
この状態から図示していないクレーンにより吊下部材５００を介して前記スプレッダ６００を吊り上げると、図１に示す如く、前記鉄筋ユニット１００が立上る形で揚重されて設置場所へ運ばれる。
【００３１】
この結果、従来のように、鉄筋ユニット１００をクレーンで揚重する際に、スプレッダ６００の長手方向における複数箇所（三箇所〜四箇所）から垂下されるワイヤやチェーン等の吊下部材５１０を鉄筋ユニット１００の一番上の横筋１０１ｂに掛けるのとは異なり、一部の横筋１０１ｂに前記鉄筋ユニット１００の全重量が掛からず、該全重量をより多くの番線１０２に分散させる形で負担させることが可能となる。これにより、各部に作用する重量が鉄筋１０１の番線１０２の強度又は固縛強度を超えることが避けられ、番線１０２が切断されにくくなると共に、固縛が解放されにくくなる。万が一、一部の番線１０２が切れたとしても、前記形鋼２００により横筋１０１ｂが挟持され安定して支持されているため、切れた番線１０２の周辺の番線１０２が連鎖的に破断するようなことはなく、揚重作業に支障を来たす心配はない。
【００３２】
又、特許文献１に開示されているものと比べ、特殊な形状の結束治具は必要とならず、実際の建設現場での適用が容易となる。
【００３３】
更に又、前記形鋼２００により横筋１０１ｂが挟持されるため、鉄筋ユニット１００の剛性を高め、揚重の際に鉄筋ユニット１００が折れ曲がることをなくすことも可能となる。
【００３４】
こうして、簡易な構造で鉄筋ユニット１００の全重量を分散させ、揚重作業の安定化を図り得る。
【００３５】
そして、本実施例の場合、前記形鋼２００は、溝形鋼であって、該溝形鋼のウエブ２０１の背面で横筋１０１ｂが挟持されるようになっている。このように構成すると、図３に示す如く、形鋼２００によって横筋１０１ｂをより安定して支持することができる。
【００３６】
又、前記締結部材３００は、形鋼２００に穿設された孔２０２に挿通されるボルト３０１と、該ボルト３０１に締め付けられるナット３０２とを備え、前記ボルト３０１は、前記鉄筋ユニット１００を吊り上げる際に横筋１０１ｂに接触して荷重を支持するようになっている。このように構成すると、締結部材３００を調達しやすくなると共に、横筋１０１ｂを挟持するよう配設される形鋼２００の連結を円滑に行うことができる。
【００３７】
一方、前記締結部材３００は、図４に示す如く、形鋼２００に穿設された孔２０２に挿通され且つ先端部に軸線と交差する方向にロック孔３０３が穿設されたボルト３０１と、該ボルト３０１のロック孔３０３に嵌入されるロックピン３０４とを備え、前記ボルト３０１は、前記鉄筋ユニット１００を吊り上げる際に横筋１０１ｂに接触して荷重を支持するよう構成することができる。このように構成すると、横筋１０１ｂを挟持するよう配設される形鋼２００に穿設された孔２０２にボルト３０１を挿通し、該ボルト３０１のロック孔３０３にロックピン３０４を嵌入するだけで、形鋼２００を短時間に効率良く連結することができる。鉄筋ユニット１００から形鋼２００を取り外す際には、ロック孔３０３からロックピン３０４を引き抜いてボルト３０１を外すだけで良い。
【００３８】
又、前記締結部材３００は、図５に示す如く、形鋼２００に穿設された孔２０２に挿通されるタイロッド３０５と、該タイロッド３０５に締め付けられるナット３０６とを備え、前記タイロッド３０５は、前記鉄筋ユニット１００を吊り上げる際に横筋１０１ｂに接触して荷重を支持するよう構成することができる。このように構成すると、タイロッド３０５は、ネジ山のピッチがボルト３０１に比べて大きいことから、ナット３０６を締め付ける速度を上げ、横筋１０１ｂを挟持するよう配設される形鋼２００の連結時間短縮を図る上で有効となる。鉄筋ユニット１００から形鋼２００を取り外す際には、タイロッド３０５からナット３０６を迅速に緩めることも可能となる。
【００３９】
尚、本発明の鉄筋ユニットの揚重装置は、本開示にて説明した上述の実施例にのみ限定されるものではなく、本発明の要旨を逸脱しない範囲内において種々変更を加え得ることは勿論である。
【符号の説明】
【００４０】
１００        鉄筋ユニット
１０１        鉄筋
１０１ａ      縦筋
１０１ｂ      横筋
１０２        番線
２００        形鋼
２０１        ウエブ
２０２        孔
３００        締結部材
３０１        ボルト
３０２        ナット
３０３        ロック孔
３０４        ロックピン
３０５        タイロッド
３０６        ナット
３１０        締結部材
４００        吊具
４１０        吊具
５００        吊下部材
５１０        吊下部材
６００        スプレッダ
６１０        吊下ブラケット
６１１        吊下孔
【図１】
2020076212.tif 000003
【図２】
2020076212.tif 000004
【図３】
2020076212.tif 000005
【図４】
2020076212.tif 000006
【図５】
2020076212.tif 000007